(57)【特許請求の範囲】
【請求項１】
第一の交換局と、該第一の交換局に収容される第一の端末と、第二の交換局と、該第二の交換局に収容される複数の基地局と、該複数の基地局のうちの一の基地局が管理するエリア内に存在する移動端末である第二の端末とを備え、
前記第二の交換局は、前記第一の端末から前記第二の端末への呼設定要求に基づいた呼出に対する前記第二の端末の応答から、前記第二の端末の存在するエリア情報を取得し、前記エリア情報を前記第一の交換局に送信し、
前記第一の交換局は、呼設定処理中に、前記エリア情報を前記第一の端末に通知することを特徴とする移動通信システム。
【請求項２】
請求項１において、
前記第一の交換局は、前記第一の端末が前記エリア情報の表示機能を有しているかどうかを判定し、
前記第一の端末が表示機能を有している場合は、前記エリア情報を表示するための信号を前記第一の端末に通知し、前記第一の端末が表示機能を備えていない場合は、前記エリア情報を音声出力するための信号を前記第一の端末に通知することを特徴とする移動通信システム。
【請求項３】
請求項１において、
前記第二の交換局は、前記エリア情報送信後所定時間、呼設定処理を待機することを特徴とする移動通信システム。
【請求項４】
請求項３において、
前記第一の交換局は、前記第一の端末から呼切断要求を受信すると、前記第二の交換局に呼解放指示を送信し、
前記第二の交換局は、前記所定時間内に、前記呼解放指示を受信しない場合、
前記呼設定処理を再開し、前記呼解放指示を受信した場合、呼解放処理を実施することを特徴とする移動通信システム。
【請求項５】
請求項３において、
前記第一の交換局は、前記第一の端末から呼設定処理継続要求を受信すると、
前記第二の交換局に呼設定処理継続指示を送信し、
前記第二の交換局は、前記所定時間内に、前記第一の交換局から呼設定処理継続指示を受信した場合、前記呼設定処理を再開し、前記呼設定処理継続指示を受信しない場合、呼解放処理を実施することを特徴とする移動通信システム。
【請求項６】
請求項１において、
前記第二の交換局は、前記エリア情報送信後前記第一の交換局から呼設定処理継続指示を受信するまで、呼設定処理を待機することを特徴とする移動通信システム。
【請求項７】
請求項６において、
前記第一の交換局は、前記第一の端末から呼切断要求を受信しないと、前記第二の交換局に前記呼設定処理継続指示を送信し、前記呼切断要求を受信すると、前記第二の交換局に呼解放指示を送信し、
前記第二の交換局は、前記第一の交換局から前記呼設定処理継続指示を受信した場合、前記呼設定処理を再開し、前記第一の交換局から呼解放指示を受信した場合、呼解放処理を実施することを特徴とする移動通信システム。
【請求項８】
請求項６において、
前記第一の交換局は、前記第一の端末から呼設定処理継続要求を受信すると、前記第二の交換局に前記呼設定処理継続指示を送信し、前記呼設定処理継続要求を受信しないと、前記第二の交換局に呼解放指示を送信し、
前記第二の交換局は、前記第一の交換局から前記呼設定処理継続指示を受信した場合、前記呼設定処理を再開し、前記第一の交換局から呼解放指示を受信した場合、呼解放処理を実施することを特徴とする移動通信システム。
【請求項９】
請求項１において、
前記第一の端末は、前記第一の交換局に収容される複数の基地局のうちの一の基地局が管理するエリア内に存在する移動端末であることを特徴とする移動通信システム。
【請求項１０】
第一の交換局に収容される第一の端末と、第二の交換局に収容される複数の基地局のうちの一の基地局が管理するエリア内に存在する移動端末である第二の端末間の通信方法において、
前記第一の端末から前記第二の端末への呼設定要求に基づいた前記第二の交換局の呼出に対する前記第二の端末の応答から、前記第二の端末の存在するエリア情報を取得するステップと、
前記エリア情報を前記第二の交換局から前記第一の交換局に送信するステップと、
呼設定処理中に、前記エリア情報を前記第一の交換局から前記第一の端末に通知するステップとを備えることを特徴とする通信方法。
【請求項１１】
請求項１０において、
前記第一の交換局は、前記第一の端末が前記エリア情報の表示機能を有しているかどうかを判定し、
前記第一の端末が表示機能を有している場合は、前記第一の交換局は、前記エリア情報を表示するための信号を前記第一の端末に通知し、前記第一の端末が表示機能を備えていない場合は、前記エリア情報を音声出力するための信号を前記第一の端末に通知することを特徴とする通信方法。
【請求項１２】
請求項１０において、
前記第二の交換局は、前記エリア情報送信後所定時間、呼設定処理を待機することを特徴とする通信方法。
【請求項１３】
請求項１２において、
前記第一の交換局は、前記第一の端末から呼切断要求を受信すると、前記第二の交換局に呼解放指示を送信し、
前記第二の交換局は、前記所定時間内に、前記呼解放指示を受信しない場合、前記呼設定処理を再開し、前記呼解放指示を受信した場合、呼解放処理を実施することを特徴とする通信方法。
【請求項１４】
請求項１２において、
前記第一の交換局は、前記第一の端末から呼設定処理継続要求を受信すると、前記第二の交換局に呼設定処理継続指示を送信し、
前記第二の交換局は、前記所定時間内に、前記第一の交換局から呼設定処理継続指示を受信した場合、前記呼設定処理を再開し、前記呼設定処理継続指示を受信しない場合、呼解放処理を実施することを特徴とする通信方法。
【請求項１５】
請求項１０において、
前記第二の交換局は、前記エリア情報送信後前記第一の交換局から呼設定処理継続指示を受信するまで、呼設定処理を待機することを特徴とする通信方法。
【請求項１６】
請求項１５において、
前記第一の交換局は、前記第一の端末から呼切断要求を受信しないと、前記第二の交換局に前記呼設定処理継続指示を送信し、前記呼切断要求を受信すると、前記第二の交換局に呼解放指示を送信し、
前記第二の交換局は、前記第一の交換局から前記呼設定処理継続指示を受信した場合、前記呼設定処理を再開し、前記第一の交換局から呼解放指示を受信した場合、呼解放処理を実施することを特徴とする通信方法。
【請求項１７】
請求項１５において、
前記第一の交換局は、前記第一の端末から呼設定処理継続要求を受信すると、前記第二の交換局に前記呼設定処理継続指示を送信し、前記呼設定処理継続要求を受信しないと、前記第二の交換局に呼解放指示を送信し、
前記第二の交換局は、前記第一の交換局から前記呼設定処理継続指示を受信した場合、前記呼設定処理を再開し、前記第一の交換局から呼解放指示を受信した場合、呼解放処理を実施することを特徴とする通信方法。
【請求項１８】
請求項１０において、
前記第一の端末は、前記第一の交換局に収容される複数の基地局のうちの一の基地局が管理するエリア内に存在する移動端末であることを特徴とする通信方法。
【発明の詳細な説明】
【０００１】
【発明の属する技術分野】
本発明は、少なくとも着信側の端末が移動通信用端末（以下移動端末という）である端末間の通信を設定する移動通信システム及びそれにおける通信方法に関し、特に、移動端末間の通信に際し、着信側の移動端末の存在するエリアを発信側の端末に通知する移動通信システム及び通信方法に関する。
【０００２】
【従来の技術】
図１１は、一般的な移動通信システムの構成例である。図１１において、発信側の移動端末（以下、発信端末という）１ａが着信側の移動端末（以下、着信端末）１ｂに呼出要求を行う場合を想定する。発信端末１ａからの呼出要求信号は、発信端末１ａが存在するエリアを管理する基地局２ａと、複数の基地局２ａを管理する基地局制御局３ａとを経由して、交換局４ａに達する。なお、基地局２ａが管理するエリアをセルエリア（ＣＡ）といい、また、複数のＣＡから構成され、基地局制御局３ａが管理するエリアをロケーションエリア（ＬＡ）という。また、交換局４ａは、複数の基地局制御局３ａを管理する。
【０００３】
交換局４ａは、移動通信システムが共有するＨＬＲ（ホームロケーションレジスタ：Home Location Register）にアクセスして、着信端末１ｂが存在するエリアを管理する交換局４ｂを検索し、交換局４ｂに対して、呼出要求信号を送信する。ＨＬＲは、移動端末の存在するＬＡ単位でのエリア情報を格納する記憶装置であって、そのエリア情報は、各移動端末がＬＡ間を移動する毎に更新される。
【０００４】
このように、交換局４ａは、着信端末１ｂの存在するエリアを管理する交換局４ｂを検索し、通常のISDNプロトコルに従って、発信端末１ａと着信端末１ｂ間の呼設定処理が行われる。
【０００５】
【発明が解決しようとする課題】
しかしながら、従来においては、呼設定前に、発信端末１ａに着信端末１ｂの存在する位置を通知することはしていない。従って、発信端末１ａを使用する発信者は、着信端末１ｂを使用する着信者の位置をあらかじめ知ることができない。そうすると、例えば、着信者が発信者の想定する位置に存在せず、呼設定する必要がない場合、着信者が発信者の位置から遠方に位置し、高い料金を払ってまで通信する必要がない場合などであっても、呼設定され、課金されてしまうという不都合がある。
【０００６】
一方、交換局４ａがＨＬＲから入手する着信端末１ｂのＬＡを通知することも考えられるが、ＬＡは、ほぼ県単位の広いエリアなので、着信端末１ｂの存在位置を特定するには広すぎる。
【０００７】
従って、本発明の目的は、着信端末の存在する位置を特定可能なエリア情報を呼設定前に発信端末に通知する移動通信システム及びその通信方法を提供することにある。
【０００８】
【課題を解決するための手段】
上記目的を達成するために、本発明の一つの側面は、着信端末が存在するエリア情報が、呼設定前に、上記ＬＡよりさらに細かいＣＡ単位で発信端末に通知される。従って、着信端末の存在位置を特定でき、その位置によっては不必要となる呼設定を行わなくてすむので、不必要な課金が回避される。
【０００９】
上記目的を達成するために、本発明の別の側面は、第一の交換局と、該第一の交換局に収容される第一の端末と、第二の交換局と、第二の交換局に収容される複数の基地局と、複数の基地局のうちの一の基地局が管理するエリア内に存在する移動端末である第二の端末とを備える移動通信システムであって、第二の交換局は、第一の端末から第二の端末への呼設定要求に基づいた呼出に対する第二の端末の応答から、第二の端末の存在するエリア情報を取得し、エリア情報を第一の交換局に送信し、第一の交換局は、呼設定処理中に、エリア情報を第一の端末に通知することを特徴とする。
【００１０】
上記の発明において、第一の交換局は、第一の端末がエリア情報の表示機能を有しているかどうかを判定し、第一の端末が表示機能を有している場合は、エリア情報を表示するための信号を第一の端末に通知し、第一の端末が表示機能を備えていない場合は、エリア情報を音声出力するための信号を第一の端末に通知してもよい。
【００１１】
また、上記の発明において、その好ましい態様は、第二の交換局は、エリア情報送信後所定時間、呼設定処理を待機する。
【００１２】
このとき、例えば、第一の交換局は、第一の端末から呼切断要求を受信すると、第二の交換局に呼解放指示を送信し、第二の交換局は、所定時間内に、呼解放指示を受信しない場合、呼設定処理を再開し、呼解放指示を受信した場合、呼解放処理を実施する。
【００１３】
又は、例えば、第一の交換局は、第一の端末から呼設定処理継続要求を受信すると、第二の交換局に呼設定処理継続指示を送信し、第二の交換局は、所定時間内に、第一の交換局から呼設定処理継続指示を受信した場合、呼設定処理を再開し、呼設定処理継続指示を受信しない場合、呼解放処理を実施する。
【００１４】
また、上記の発明において、その好ましい別の態様は、第二の交換局は、エリア情報送信後第一の交換局から呼設定処理継続指示を受信するまで、呼設定処理を待機する。
【００１５】
このとき、例えば、第一の交換局は、第一の端末から呼切断要求を受信しないと、第二の交換局に呼設定処理継続指示を送信し、呼切断要求を受信すると、第二の交換局に呼解放指示を送信し、第二の交換局は、第一の交換局から呼設定処理継続指示を受信した場合、呼設定処理を再開し、第一の交換局から呼解放指示を受信した場合、呼解放処理を実施する。
【００１６】
又は、例えば、第一の交換局は、第一の端末から呼設定処理継続要求を受信すると、第二の交換局に呼設定処理継続指示を送信し、呼設定処理継続要求を受信しないと、第二の交換局に呼解放指示を送信し、第二の交換局は、第一の交換局から呼設定処理継続指示を受信した場合、呼設定処理を再開し、第一の交換局から呼解放指示を受信した場合、呼解放処理を実施する。
【００１７】
さらに、上記目的を達成するために、本発明の更なる別の側面は、第一の交換局に収容される第一の端末と、第二の交換局に収容される複数の基地局のうちの一の基地局が管理するエリア内に存在する移動端末である第二の端末間の通信方法において、第一の端末から第二の端末への呼設定要求に基づいた第二の交換局の呼出に対する第二の端末の応答から、第二の端末の存在するエリア情報を取得するステップと、エリア情報を第二の交換局から第一の交換局に送信するステップと、呼設定処理中に、エリア情報を第一の交換局から第一の端末に通知するステップとを備えることを特徴とする。
【００１８】
【発明の実施の形態】
以下、本発明の実施の形態について説明する。しかしながら、本発明の技術的範囲が、本実施の形態に限定されるものではない。
【００１９】
図１は、本発明の原理を説明するための図である。図１は、発信端末１ａが着信端末１ｂに対して呼出要求を行う場合を例に示す。呼出要求は、端末ａの存在する位置を管理する基地局２ａ及びその基地局２ａを含む複数の基地局を管理する基地局制御局３ａを経由してその基地局制御局３ａを収容する発信側交換局４ａに送られる。交換局４ａは、ISUP(ISdn User Part)で定められた信号手順に従って、着信端末１ｂが存在する位置を管理する基地局制御局３ｂを収容する着信側交換局４ｂにIAM信号を送信する。交換局４ｂは、IAM信号を受信すると、基地局制御局３ｂに対して一斉呼出要求を行う。基地局制御局３ｂは、それが管理するエリア（ロケーションエリア（ＬＡ：Location Area）という）内の複数の基地局すべてに一斉呼出信号を送信する。さらに、各基地局は、自己が管理する範囲（セルエリア（ＣＡ：Cell Area）という）に対して、その一斉呼出信号を送信する。
【００２０】
今、着信端末１ｂが基地局２ｂの管理するセルエリアＣＡに存在する場合、着信端末１ｂが一斉呼出要求を受信し、それに対する呼出応答信号を発信すると、基地局２ｂから呼出応答信号が基地局制御局３ｂを経由して交換局４ｂに送信される。この呼出応答信号には、基地局２ｂが管理するセルエリアＣＡの識別情報が含まれる。交換局４ｂは、ISUPで定められた信号手順に従って、交換局４ａにACM信号とともに、上記基地局２ｂのＣＡ識別情報に対応するエリア情報を含むエリア情報信号を送信する。交換局４ａは、そのエリア情報信号を受信すると、着信端末１ｂのエリア情報を発信端末１ａのディスプレイ画面に表示するためのinfo信号又は音声出力するためのガイダンス信号を生成し、基地局制御局３ａ、基地局２ａを経由して発信端末１ａに送信する。
【００２１】
発信端末１ａは、上記info信号を受信すると、図１（ｂ）に示されるように、発信端末１ａの画面に着信端末１ｂのエリア情報が表示される。また、上記ガイダンス信号を受信すると、図１（ｃ）に示されるように、発信端末１ａからエリア情報が音声出力される。そして、発信端末１ａを有する発信者は、そのエリア情報に基づいて、着信端末１ｂへの接続処理を継続するか否かを選択することができる。
【００２２】
図２は、本発明の実施の形態における移動通信システムを構成する交換局の構成例を示す図である。図２（ａ）は、着信側交換局４ｂの構成例を示す図であって、図２（ｂ）は、発信側交換局４ａの構成例を示す図である。図２（ａ）において、着信側交換局４ｂは、着信端末１ｂからの呼出応答信号をメッセージ受信部４０１で受信する。そして、ＣＡ情報抽出処理部４０２が呼出応答信号からＣＡ識別情報を抽出する。エリア変換処理部４０３は、変換テーブル４０４を参照して、抽出されたＣＡ識別情報をエリア情報に変換する。変換テーブル４０４は、基地局制御局が管理する複数の基地局の各ＣＡ識別情報に対応するエリア情報を備えたテーブルである。
【００２３】
図３は、変換テーブルの例を示す図である。図３において、変換テーブルは、Ａ識別情報をインデックスとしたエリア情報を備える。例えば、ＣＡ識別情報が番号で与えられ、抽出されたＣＡ識別情報がＣＡ＝１０である場合、例えば上から１０番目のエリア情報が選択される。
【００２４】
メッセージ編集処理部４０５は、呼出応答信号に基づいてISUP信号のメッセージを編集する。本発明の実施の形態では、エリア情報は、ISUP信号におけるＣＨＧ信号に含まれる。ＣＨＧ信号は、いわゆる事業者間精算標準方式を実現するために導入されたメッセージである。事業者間精算標準方式とは、移動体通信の複数の事業者による相互接続の複雑化に対応するために、発信側交換局と着信側交換局間で事業者が異なる場合、事業者情報、課金エリア情報、課金情報などを相互に通知することによって、異なる事業者間の相互接続を標準化する方式である。編集されたISUP信号（ACM信号及びエリア情報を有するCHG信号）は、ISUP信号送信部４０６から送信される。
【００２５】
図２（ｂ）において、着信側交換局４ｂのISUP信号送信部４０６から送信されたISUP信号は、発信側交換局４ａのISUP信号受信部４１１によって受信される。ISUP信号受信部４１１は、ISUPプロトコルに従って、ISUP信号を解析する。加入者データチェック処理部４１２は、通信事業者が提供するサービスに対する発信端末１ａの加入者の加入条件を判定する。このチェック処理部４１２は、この加入条件を移動通信網が共有するＨＬＲ(Home Location Register)（図１参照）における加入者データから入手する。そして、発信端末１ａの加入者が、本発明の着信端末エリア情報通知方法を実施するサービス（着信端末エリア情報通知サービス）に加入していない場合、加入者データチェック処理部４１２は、本サービスの処理を終了する。発信端末１ａの加入者が、本サービスに加入している場合であって、発信端末１ａがエリア情報表示機能を有していない場合、加入者データチェック処理部４１２は、ガイダンス発生装置接続処理部４１３にエリア情報を通知する。また、発信端末１ａがエリア情報表示機能を有する場合、加入者データチェック処理部４１２は、info信号生成処理部４１４にエリア情報を通知する。
【００２６】
ガイダンス発生装置接続処理部４１３はエリア情報／ガイダンス管理番号変換テーブル４１５から、通知されたエリア情報に対応するガイダンス管理番号を抽出し、それをガイダンス発生装置４１６に通知する。エリア情報／ガイダンス管理番号変換テーブル４１５は、各エリア情報に対応するガイダンス（音声出力するための信号）の管理番号を備えるテーブルである。ガイダンス発生装置４１６は、管理番号に対応するガイダンスデータをあらかじめ有し、通知された管理番号に対応するガイダンスを基地局制御局３ａ、基地局２ａを経由して発信端末１ａに送信する。そうすると、上記図１（ｃ）のように、着信端末１ｂのエリア情報が音声出力される。
【００２７】
一方、info信号生成処理部４１４は、エリア情報を発信端末１ａのディスプレイに表示するのに必要な信号（info信号）を生成する。生成されたinfo信号は、info信号送信部４１７から、基地局制御局３ａ、基地局２ａを経由して発信端末１ａに送信する。そうすると、上記図１（ｂ）のように、発信端末１ａのディスプレイに着信端末１ｂのエリア情報が表示される。
【００２８】
このようにして、着信端末１ｂのエリア情報が発信端末１ａに通知されると、本発明の実施の形態では、発信端末１ａと着信端末１ｂ間の呼設定処理を継続するかどうかを選択するための時間が提供される。そして、発信端末１ａは、加入者からその時間内に継続処理が指示された場合又は何も指示がなかった場合、呼設定処理を継続し、加入者から時間内に切断指示を受けた場合、呼設定処理を中止する。
【００２９】
これにより、発信端末１ａの加入者は、着信端末１ｂと呼設定する前に、着信端末１ｂの存在するエリア情報を取得でき、そのエリア情報に基づいて、着信端末１ｂと呼設定するか否かを選択することができるようになる。
【００３０】
以下、本発明の実施の形態における呼設定処理方法を具体的に説明する。図４及び図５は、本発明の第一の実施の形態における呼設定処理方法のシーケンス図である。なお、図４は呼設定処理を継続する場合のシーケンス図であって、図５は呼設定処理を中止する場合のシーケンス図である。また、以下のシーケンス図では、端末と交換局間の基地局及び基地局制御局は省略されているが、端末と交換局間の信号送受信は、上述通りこれらを経由して行われる。
【００３１】
図４において、発信端末１ａが交換局４ａに呼設定要求（SETUP）信号を送信すると、交換局４ａはアドレス(IAM：Initial Address Message)信号を交換局４ｂに送信する。交換局４ｂは、IAM信号を受信すると、交換局４ａにアドレス完了（ACM：Address Complete）信号を送信するととともに、一斉呼出(paging)信号を送信する。着信端末１ｂは、そのpaging信号を受信すると、一斉呼出(paging)応答信号を交換局４ｂに送信する。このとき、着信端末１ｂからのpaging応答信号を中継する図示しない基地局は、自己のＣＡ（セルエリア）識別情報をこのpaging応答信号に付加する。
【００３２】
交換局４ｂは、paging応答信号を受信すると、上記図２（ａ）で示したように、エリア情報を有するCHG信号を交換局４ａに送信する。CHG信号を受信した交換局４ａは、上記図２（ｂ）で示したように、加入者データチェック処理を行い、加入条件に応じてガイダンス信号又はinfo信号を発信端末１ａに送信する。また、交換局４ｂは、CHG信号を送信すると、内蔵のタイマを作動させる。そして、このタイマの設定時間の経過によって、呼設定処理は継続され、設定時間内に解放指示（REL：Release）信号を受信した場合、呼設定処理は中止される。
【００３３】
なお、交換局４ｂは、タイマ作動後、通常の呼設定処理手順である認証確認処理及び無線チャネル割当処理を実行する。即ち、交換局４ｂは、認証要求信号を着信端末１ｂに対して送信し、着信端末１ｂは、それに対する認証応答信号を交換局４ｂに送信する。さらに、交換局４ｂは、無線チャネル割当要求信号を着信端末１ｂに送信し、着信端末１ｂは、それに対する無線チャネル割当応答信号を交換局４ｂに送信する。
【００３４】
そして、交換局４ｂは、この認証確認処理及び無線チャネル割当処理を終了してすぐに呼設定（SETUP）信号を送信せず、タイマの設定時間経過を待って着信端末１ｂに対して呼設定（SETUP）信号を送信する。SETUP信号を受信した着信端末１ｂは、着信端末１ｂは呼出音を出力し、交換局４ｂに対しては呼出中（ALERT）信号を送信する。交換局４ｂは、ALERT信号を受信すると、呼経過（CPG：Call Progress）信号を交換局４ａに送信し、さらに、交換局４ａは発信端末１ａにALERT信号を送信する。そして、交換局４ｂは、着信端末１ｂから応答（CONN：Connect）信号を受信すると、交換局４ａに応答（ANM）信号するとともに、応答確認（CONN ACK：Connect Acknowledgement）信号を着信端末１ｂに送信する。また、交換局４ａは、応答（ANM：Answer Message）信号を受信すると、発信端末１ａに応答（CONN）信号を送信する。発信端末１ａはそれを受信すると、交換局４ａに応答確認（CONN ACK）信号を送信する。これにより、一連の呼設定処理は終了し、発信端末１ａと着信端末１ｂ間は呼設定状態となる。
【００３５】
次に、図５について説明する。図５において、交換局４ｂによるタイマ作動後の認証確認処理及び無線チャネル割当処理までの手順は、図４と同様なのでその説明を省略する。発信端末の１ａの加入者が、着信端末１ｂのエリア情報を取得し、呼設定処理継続不要と判断した場合、タイマの設定時間中に、発信端末１ａから切断要求（DISC：Disconnect）信号が交換局４ａに送信される。交換局４ａは、さらに、解放指示（REL：Release）信号を交換局４ｂに送信する。交換局４ｂは、REL信号を受信すると、上記無線チャネル割当処理によって設定されたチャネルの解放処理を行う。即ち、交換局４ｂは、着信端末１ｂに対して、チャネル切断要求信号を送信し、着信端末１ｂは、それに対応するチャネル切断応答信号を交換局４ｂに送信する。交換局４ｂは、チャネル切断応答信号を受信すると、交換局４ａに解放完了（RLC：Release Complete）信号を送信する。そして、交換局４ａはそれを受信すると、発信端末１ａにUA信号を送信する。これにより、呼設定処理は中止され、発信端末１ａと着信端末１ｂ間の呼は設定されない。
【００３６】
図６及び図７は、本発明の第二の実施の形態における呼設定処理のシーケンス図である。図６は呼設定処理を継続する場合のシーケンス図であって、図７は呼設定処理を中止する場合のシーケンス図である。図６及び図７では、図４及び図５と異なり、交換局４ａにおいて、タイマが作動する。即ち、図６及び図７において、交換局４ｂが交換局４ａにエリア情報を含むCHG信号を送信するまでの呼設定手順は、図４及び図５とそれぞれ同様であるので、その説明を省略する。そして、図５及び図７において、交換局４ａは、交換局４ｂからCHG信号を受信すると、加入条件に応じてinfo信号又はガイダンス信号を発信端末１ａに送信するとともに、内蔵のタイマを作動させる。このタイマは、図４及び図５におけるタイマと同様に、所定の設定時間の経過又は設定時間内に切断要求（DISC）信号の受信によって停止する。
【００３７】
呼設定処理が継続される場合、図６において、交換局４ａは、設定時間中に切断要求（DISC）信号を受信しなかった場合は、タイマの設定時間経過を待って交換局４ｂに対して、呼設定処理継続指示（PRG）信号を送信する。PRG信号を受信した交換局４ｂは、着信端末１ｂに対して呼設定（SETUP）信号を送信する。以下の呼設定手順は、図４と同様であるので、その説明を省略する。
【００３８】
また、呼設定処理が中止される場合、図７において、発信端末１ａからタイマの設定時間中に切断要求（DISC）信号が送信される。以下の呼設定中止手順は、図５と同様であるのでその説明を省略する。なお、図示されないが、info信号又はガイダンス信号が送信されない場合も交換局４ａから交換局４ｂにPRG信号が送信される。
【００３９】
図８及び図９は、本発明の第三の実施の形態における呼設定処理のシーケンス図である。図８は呼設定処理を継続する場合のシーケンス図であって、図８は呼設定処理を中止する場合のシーケンス図である。本発明の実施の形態では、図６及び図７同様に、交換局４ａのタイマが作動する。そして、本発明の実施の形態では、上記第一及び第二の実施の形態と異なり、そして、このタイマの設定時間の経過によって、呼設定処理は中止され、設定時間内に呼設定処理継続要求（PRG）信号を受信した場合、呼設定処理は継続される。
【００４０】
従って、図８において、タイマの設定時間中に、交換局４ａは、発信端末１ａから呼設定処理継続要求（PRG）信号を受信すると、交換局４ｂに対しても、呼設定処理継続指示（PRG）信号を送信する。そして、交換局４ｂは、呼設定処理継続指示（PRG）信号を受信すると、上述の認証確認処理及び無線チャネル割当処理が終了次第、着信端末１ｂに対してSETUP信号を送信する。以下の呼設定処理手順は、図４と同様であるので省略する。
【００４１】
また、図９において、呼設定処理継続要求（PRG）信号を受信することなく、交換局４ａのタイマの設定時間が経過すると、交換局４ａは、交換局４ｂに対して解放指示（REL）信号を送信する。以下の呼設定中止手順は、図５と同様であるのでその説明を省略する。
【００４２】
なお、上記図４及び図６において、呼設定処理を継続する場合、タイマの設定時間経過を待たずとも、発信端末１ａからの呼設定処理継続要求（PRG）信号によって、呼設定処理が再開されてもよい。また、図９において、呼設定処理を中止する場合、タイマの設定時間経過を待たずとも、発信端末１ａからの切断要求（DISC）信号によって呼設定処理が中止されてもよい。
【００４３】
また、図４及び図６において、発信端末１ａが着信端末エリア情報通知サービスに加入していない場合であっても、交換局４ｂ（図４）又は４ａ（図６）のタイマの設定時間経過まで、呼設定処理が一時中断するので、呼設定処理完了に多くの時間を要する。従って、本通知サービスに加入していない発信端末１ａの場合は、交換局４ａは、CHG信号を受信すると、交換局４ｂに対して呼設定処理継続指示（PRG）信号を送信してもよい。これにより、タイマの設定時間経過を待たずとも、呼設定処理が継続する。
【００４４】
図１０は、本発明の第四の実施の形態における呼設定処理方法のシーケンス図である。本実施の形態では、着信端末１ｂが自己のエリア情報を発信端末１ａに通知することを拒否できる機能が追加される。図１０において、着信端末１ｂは、前記拒否機能を登録するためにあらかじめ設定された特別番号を交換局４ｂに送信する。そうすると、交換局４ｂは、ＨＬＲ(Home Location Register)に、着信端末１ｂについてのエリア情報通知不可登録を行う。ＨＬＲは、登録を完了すると、応答信号を交換局４ｂに送信する。そして、交換局４ｂは、登録確認メッセージをinfo信号又はガイダンス信号として着信端末１ｂに送信する。なお、ＨＬＲに上記エリア情報通知不可登録されていない着信端末１ｂは、エリア情報通知許諾端末として扱われる。また、ＨＬＲに対してエリア情報通知許諾登録が行われてもよい。この場合、登録されていない着信端末１ｂは、エリア情報通知不可端末として扱われる。
【００４５】
そして、図４と同様に、発信端末１ａが交換局４ａに呼設定要求（SETUP）信号を送信すると、交換局４ａはアドレス(IAM：Initial Address Message)信号を交換局４ｂに送信する。交換局４ｂは、IAM信号を受信すると、交換局４ａにアドレス完了（ACM：Address Complete）信号を送信するととともに、一斉呼出(paging)信号を送信する。着信端末１ｂは、そのpaging信号を受信すると、一斉呼出(paging)応答信号を交換局４ｂに送信する。交換局４ｂは、paging応答信号を受信すると、ＨＬＲにアクセスして、エリア情報通知不可又は許諾に関する登録を参照する。そして、交換局４ｂは、着信端末１ｂがエリア情報通知不可端末である場合、エリア情報に加えて通知不可情報を付加したCHG信号を送信する。交換局４ａは、受信したCHG信号に通知不可情報が含まれている場合、通知不可メッセージをinfo信号又はガイダンス信号として発信端末１ａに送信する。以下の呼設定処理は、図４と同様であるのでその説明を省略する。
【００４６】
エリア情報通知不可又は許諾に関する登録は、通信事業者の通信サービスに加入する際に登録されてもよい。また、加入後に、上述の特別番号の発信による登録設定又は登録解除を可能とし、登録内容を随時変更できるようにしてもよい。
【００４７】
なお、上述の実施の形態において、発信端末１ａは、移動端末でなくてもよく、固定端末であってもよい。また、交換局４ｂから交換局４ａにエリア情報を送信するのに用いられる信号は、CHG信号に限定されず、別の信号（例えば、ACM信号）であってもよいし、エリア情報送信専用の信号が新たに設定されてもよい。
【００４８】
本発明の保護範囲は、上記の実施の形態に限定されず、特許請求の範囲に記載された発明とその均等物に及ぶものである。
【００４９】
【発明の効果】
以上、本発明によれば、発信端末は、呼設定前に、着信端末の存在位置をＣＡ（セルエリア）単位で入手できる。従って、着信端末の存在位置によっては不必要となる呼設定を行わなくてすむので、不必要な課金が回避される。
【図面の簡単な説明】
【図１】本発明の原理を説明するための図である。
【図２】本発明の実施の形態における移動通信システムを構成する交換局の構成例を示す図である。
【図３】変換テーブルの例を示す図である。
【図４】本発明の第一の実施の形態における呼設定処理を継続する場合の呼設定処理方法のシーケンス図である。
【図５】本発明の第一の実施の形態における呼設定処理を中止する場合の呼設定処理方法のシーケンス図である。
【図６】本発明の第二の実施の形態における呼設定処理を継続する場合の呼設定処理方法のシーケンス図である。
【図７】本発明の第二の実施の形態における呼設定処理を中止する場合の呼設定処理方法のシーケンス図である。
【図８】本発明の第三の実施の形態における呼設定処理を継続する場合の呼設定処理方法のシーケンス図である。
【図９】本発明の第三の実施の形態における呼設定処理を中止する場合の呼設定処理方法のシーケンス図である。
【図１０】本発明の第四の実施の形態における呼設定処理方法のシーケンス図である。
【図１１】一般的な移動通信システムの構成例である。
【符号の説明】
１ａ、１ｂ  端末
２ａ、２ｂ  基地局
４ａ、４ｂ  交換局
【図１】
0004265841.tif 000002
【図２】
0004265841.tif 000003
【図３】
0004265841.tif 000004
【図４】
0004265841.tif 000005
【図５】
0004265841.tif 000006
【図６】
0004265841.tif 000007
【図７】
0004265841.tif 000008
【図８】
0004265841.tif 000009
【図９】
0004265841.tif 000010
【図１０】
0004265841.tif 000011
【図１１】
0004265841.tif 000012